(57)【特許請求の範囲】
【請求項１】
フジツボ類の付着期幼生が水中で付着物に付着することを抑制する方法であって、
前記付着期幼生に対し、４０９〜４１２ｎｍの波長全域を含み、４００〜４６０ｎｍの波長域のうち一部の波長を含む光を、前記付着物から前記付着期幼生の方向に照射する工程を含む方法。
【請求項２】
前記光が４００〜４４０ｎｍの波長域のうち一部の波長を含むことを特徴とする、請求項１に記載の方法。
【請求項３】
前記光が４０９〜４１２ｎｍの波長域においてピークを有することを特徴とする、請求項１または２に記載の方法。
【請求項４】
前記光が４００〜４２０ｎｍの波長全域を含むことを特徴とする、請求項１〜３のいずれか１項に記載の方法。
【請求項５】
前記光の照射照度が６７．７８Ｗ／ｍ2以上であることを特徴とする、請求項１〜４のいずれか１項に記載の方法。
【請求項６】
前記光の波長分光放射照度が、４０９〜４１２ｎｍの波長域の少なくとも一部または全域において、６２．９２８２μＷｃｍ-2ｎｍ-1以上であることを特徴とする、請求項１〜４のいずれか１項に記載の方法。
【請求項７】
前記光がレーザー光でないことを特徴とする、請求項１〜６のいずれか１項に記載の方法。
【請求項８】
前記付着期幼生がキプリス幼生であることを特徴とする、請求項１〜７のいずれか１項に記載の方法。
【請求項９】
前記水が海水であることを特徴とする、請求項１〜８のいずれか１項に記載の方法。
【請求項１０】
前記光がＬＥＤ光であることを特徴とする、請求項１〜８のいずれか１項に記載の方法。
【発明の詳細な説明】
【技術分野】
【０００１】
本発明は、フジツボ類の付着期幼生が水中で付着物に付着することを抑制する方法に関する。
【背景技術】
【０００２】
冷却水として海水を利用する火力発電所や原子力発電所などの発電プラントにおいては、海から海水を取り入れて復水器に供給する取水路や、復水器を通った海水を海へ放出するための放水路の内部に、フジツボ類をはじめとする貝等の海洋生物が付着し易い。海洋生物の付着量が多くなると、冷却水の流路が塞がれて冷却性能が低下するなどの不具合を招くおそれがある。そこで、従来から、次亜塩素酸ナトリウム溶液や二酸化塩素などの塩素系薬剤を冷却水に注入することにより、熱交換水流路への海洋生物の付着を抑制することが行われている（特開平７−２６５８６７号；特開平１１−３７６６６号；特開２００５−１４４２１２号；特開２００５−１４４２１３号；特開２００５−１４４２１４号；特許第３６０５１２８号）。その他の方法として、光触媒を用いた方法（特開平１１−２７８３７４号）やレーザー光を用いた方法（特開２００３−３０１４３５号；特開平０６−２１８３６７号；特開平０８−１６４３８４号）も開発されている。
【発明の概要】
【発明が解決しようとする課題】
【０００３】
本発明は、フジツボ類の付着期幼生が水中で付着物に付着することを抑制する方法を提供することを目的とする。
【課題を解決するための手段】
【０００４】
付着期幼生は、広範囲の波長域の光照射に対して多くの個体が正の走光性を示すが、４０９〜４１２ｎｍの波長全域を含む光を照射した場合には、光源に近づく個体の割合が激減し、むしろ光源から離れる負の走光性を示す個体が増加する傾向があることを本発明者が見出し、本発明に至った。【０００５】
本発明の一実施形態は、フジツボ類の付着期幼生が水中で付着物に付着することを抑制する方法であって、４０９〜４１２ｎｍの波長全域を含み、４００〜４６０ｎｍの波長域のうち一部の波長を含む光を、前記付着物から前記付着期幼生の方向に照射する工程を含む方法である。前記光が４００〜４４０ｎｍの波長域のうち一部の波長を含むことが好ましい。前記光が４０９〜４１２ｎｍの波長域においてピークを有することが好ましい。前記光が４００〜４２０ｎｍの波長全域を含むことが好ましい。前記光の照射照度が６７．７８Ｗ／ｍ2以上であることが好ましい。前記光の波長分光放射照度が、４０９〜４１２ｎｍの波長域の少なくとも一部または全域において６２．９２８２μＷｃｍ-2ｎｍ-1以上であることが好ましい。前記光がレーザー光でないことが好ましい。前記付着期幼生がキプリス幼生であってもよい。前記水が海水であってもよい。前記光がＬＥＤ光であってもよい。
【図面の簡単な説明】
【０００６】
【図１】実施例に使用した走光性試験容器の区画分けした底面の模式図である。
【図２Ａ】ピーク波長が５６２〜５８２ｎｍ（プロジェクションライト）の光を照射した場合の、アカフジツボのキプリス幼生の移動方向と位置を示すグラフである。
【図２Ｂ】ピーク波長が５１５〜５３５ｎｍのＬＥＤ光を照射した場合の、アカフジツボのキプリス幼生の移動方向と位置を示すグラフである。
【図２Ｃ】ピーク波長が４６０〜４８０ｎｍのＬＥＤ光を照射した場合の、アカフジツボのキプリス幼生の移動方向と位置を示すグラフである。
【図２Ｄ】ピーク波長が４４０〜４６０ｎｍのＬＥＤ光を照射した場合の、アカフジツボのキプリス幼生の移動方向と位置を示すグラフである。
【図２Ｅ】ピーク波長が４０９〜４１２ｎｍで１００Ｗ／ｍ2のＬＥＤ光を照射した場合の、アカフジツボのキプリス幼生の移動方向と位置を示すグラフである。
【図２Ｆ】ピーク波長が４０９〜４１２ｎｍで１２５Ｗ／ｍ2のＬＥＤ光を照射した場合の、アカフジツボのキプリス幼生の移動方向と位置を示すグラフである。
【図２Ｇ】ピーク波長が３７０〜３８０ｎｍのＬＥＤ光を照射した場合の、アカフジツボのキプリス幼生の移動方向と位置を示すグラフである。
【図３Ａ】ピーク波長が５６２〜５８２ｎｍ（プロジェクションライト）の光を照射した場合の、タテジマフジツボのキプリス幼生の移動方向と位置を示すグラフである。
【図３Ｂ】ピーク波長が５１５〜５３５ｎｍのＬＥＤ光を照射した場合の、タテジマフジツボのキプリス幼生の移動方向と位置を示すグラフである。
【図３Ｃ】ピーク波長が４６０〜４８０ｎｍのＬＥＤ光を照射した場合の、タテジマフジツボのキプリス幼生の移動方向と位置を示すグラフである。
【図３Ｄ】ピーク波長が４４０〜４６０ｎｍのＬＥＤ光を照射した場合の、タテジマフジツボのキプリス幼生の移動方向と位置を示すグラフである。
【図３Ｅ】ピーク波長が４０９〜４１２ｎｍのＬＥＤ光を照射した場合の、タテジマフジツボのキプリス幼生の移動方向と位置を示すグラフである。
【図３Ｆ】ピーク波長が３７０〜３８０ｎｍのＬＥＤ光を照射した場合の、タテジマフジツボのキプリス幼生の移動方向と位置を示すグラフである。
【図４Ａ】ピーク波長が５６２〜５８２ｎｍ（プロジェクションライト）の光を照射した場合の、アカフジツボのキプリス幼生の移動方向および移動距離を示すグラフである。
【図４Ｂ】ピーク波長が５１５〜５３５ｎｍのＬＥＤ光を照射した場合の、アカフジツボのキプリス幼生の移動方向および移動距離を示すグラフである。
【図４Ｃ】ピーク波長が４６０〜４８０ｎｍのＬＥＤ光を照射した場合の、アカフジツボのキプリス幼生の移動方向および移動距離を示すグラフである。
【図４Ｄ】ピーク波長が４４０〜４６０ｎｍのＬＥＤ光を照射した場合の、アカフジツボのキプリス幼生の移動方向および移動距離を示すグラフである。
【図４Ｅ】ピーク波長が４０９〜４１２ｎｍで１００Ｗ／ｍ2のＬＥＤ光を照射した場合の、アカフジツボのキプリス幼生の移動方向および移動距離を示すグラフである。
【図４Ｆ】ピーク波長が４０９〜４１２ｎｍで１２５Ｗ／ｍ2のＬＥＤ光を照射した場合の、アカフジツボのキプリス幼生の移動方向および移動距離を示すグラフである。
【図４Ｇ】ピーク波長が３７０〜３８０ｎｍのＬＥＤ光を照射した場合の、アカフジツボのキプリス幼生の移動方向および移動距離を示すグラフである。
【図５Ａ】ピーク波長が５６２〜５８２ｎｍ（プロジェクションライト）の光を照射した場合の、タテジマフジツボのキプリス幼生の移動方向および移動距離を示すグラフである。
【図５Ｂ】ピーク波長が５１５〜５３５ｎｍのＬＥＤ光を照射した場合の、タテジマフジツボのキプリス幼生の移動方向および移動距離を示すグラフである。
【図５Ｃ】ピーク波長が４６０〜４８０ｎｍのＬＥＤ光を照射した場合の、タテジマフジツボのキプリス幼生の移動方向および移動距離を示すグラフである。
【図５Ｄ】ピーク波長が４４０〜４６０ｎｍのＬＥＤ光を照射した場合の、タテジマフジツボのキプリス幼生の移動方向および移動距離を示すグラフである。
【図５Ｅ】ピーク波長が４０９〜４１２ｎｍのＬＥＤ光を照射した場合の、タテジマフジツボのキプリス幼生の移動方向および移動距離を示すグラフである。
【図５Ｆ】ピーク波長が３７０〜３８０ｎｍのＬＥＤ光を照射した場合の、タテジマフジツボのキプリス幼生の移動方向および移動距離を示すグラフである。
【図６】ピーク波長が５６２〜５８２ｎｍ（プロジェクションライト）、３７０〜３８０ｎｍ、４０９〜４１２ｎｍ、４４０〜４６０ｎｍ、４６０〜４８０ｎｍ、または５１５〜５３５ｎｍのＬＥＤ光を５分間照射した場合の、アカフジツボのキプリス幼生の正方向又は負方向の領域に位置した割合を示すグラフである。
【図７】ピーク波長が５６２〜５８２ｎｍ（プロジェクションライト）、３７０〜３８０ｎｍ、４０９〜４１２ｎｍ、４４０〜４６０ｎｍ、４６０〜４８０ｎｍ、または５１５〜５３５ｎｍのＬＥＤ光を１０分間照射した場合の、タテジマフジツボのキプリス幼生の正方向又は負方向の領域に位置した割合を示すグラフである。
【発明を実施するための形態】
【０００７】
本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的に実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【０００８】
本発明にかかる、フジツボ類の付着期幼生が水中で付着物に付着することを抑制する方法は、付着期幼生に対し、４０９〜４１２ｎｍの波長全域を含み、４００〜４６０ｎｍの波長域のうち一部の波長を含む光を、付着物から付着期幼生の方向に向けて照射する工程を含む。それによって、光源から離れる負の走光性を示す個体が増加し、付着期幼生が付着物に付着するのを防止することができる。
【０００９】
フジツボ類は、初期幼生の間は海中を浮遊しており、付着期幼生になると、適当な付着物に付着して、成体に変態する。従って、付着期幼生が付着物に付着することを抑制するのは、海水中で行われることが好ましいが、特に海水中に限定されず、淡水と海水の混合水中など、他の濃度の塩水中で行なわれてもよく、淡水中で行われてもよい。
【００１０】
フジツボ類とは、甲殻類(Crustacea)まん脚亜綱(Cirripadia)完胸目(Thoracica)に分類されるものの総称であり、例えば、タテジマフジツボ、アメリカフジツボ、アカフジツボ、サンカクフジツボ、オオアカフジツボ、サラサフジツボ、イワフジツボ、シロスジフジツボ、およびヨーロッパフジツボなどを含むフジツボ型亜目（Balanomorpha）に属するものが含まれる。
【００１１】
フジツボ類の場合、付着期幼生は、キプリス幼生に相当する。付着期幼生が付着する付着物は特に限定されないが、発電所の海水取水設備または海水放水設備、沿岸水産養殖設備、または漁業設備などが例示できる。
【００１２】
付着期幼生に対して照射する光は、付着物から付着期幼生の方向に照射する。この際、付着期幼生の位置よりも付着物に近い位置から光を照射すればよい。光の照射方向と付着物の角度は特に限定されないが、垂直に近い方が好ましく、ほぼ垂直または垂直であれば最も好ましい。従って、光源は、付着物に埋め込み、付着物自体から光を放射することが好ましい。
【００１３】
付着期幼生に対して照射する光は、４０９〜４１２ｎｍの波長全域を含み、４００〜４６０ｎｍの波長域のうち一部（ここで、「一部」とは、「全部」を含まないものとする）の波長を含む（すなわち、４００〜４６０ｎｍの波長域全域は含まない）光である。その光は、４００〜４４０ｎｍの波長域のうち一部（ここで、「一部」とは、「全部」を含まないものとする）の波長を含む（すなわち、４００〜４４０ｎｍの波長域全域は含まない）ことが好ましい。その光は、４０９〜４１２ｎｍの波長全域のみを含んでもよいが、４００〜４２０ｎｍの波長全域を含むことが好ましく、４０９〜４１２ｎｍの波長全域を含む光に加え、紫外線（４００ｎｍより小さい波長）、可視光（４００〜８３０ｎｍ）及び赤外線（８３０ｎｍより大きい波長）を含んでもよい。４００ｎｍ〜４２０ｎｍの波長は、海水中での透過性が紫外線より高いので、本発明は紫外線のみを含む光を用いる方法よりも広範囲に光の効果を及ぼすことができる。また、実施例で示すように、光が４０９〜４１２ｎｍの波長域においてピークを有することが好ましい。なお、この光はレーザー光でなくてもよい。
【００１４】
光の照射強度及び照射時間は特に限定されず、照射する環境（例えば、水質、水の深さ、透明度など）によって、当業者が適切に、且つ容易に決めることができるが、照射照度は６７．７８Ｗ／ｍ2以上であることが好ましく、８０Ｗ／ｍ2以上であることが好ましく、１００Ｗ／ｍ2以上であることが最も好ましい。また、４０９〜４１２ｎｍの波長域の少なくとも一部または全域において、波長分光放射照度は６２．９２８２μＷｃｍ-2ｎｍ-1以上であることが好ましく、７５．５０４３μＷｃｍ-2ｎｍ-1以上であることがより好ましく、８２．１０８８μＷｃｍ-2ｎｍ-1以上であることが最も好ましい。また、付着期幼生への光の照射は、持続的であっても、間欠的であっても構わないが、持続的である場合、照射時間は５分以上が好ましく、１０分以上がより好ましく、１５分以上が最も好ましい。
【００１５】
照射方法は、特に限定されず、例えば、光照射装置として、ＬＥＤ照射装置，水銀ランプ，蛍光管等の装置などを用いることができるが、ＬＥＤを用いることが好ましく、特にＬＥＤを用いた光ファイバーが好ましい。
【実施例】
【００１６】
＝＝走光性試験容器＝＝
走光性試験には、内寸が（長さ）１２ｃｍ×（幅）５ｃｍ×（深さ）４ｃｍの走光性試験容器を用いた。この容器は、一方の短側面の下半分が石英ガラス板（厚さ５ｍｍ、縦２ｃｍ、横５ｃｍ）からなり、この部分のみが光透過性である。石英ガラス板を通じて容器外部から容器内部にＬＥＤ光が入射するように、容器の外側に光源としてのＬＥＤパネルを配置した。【００１７】
走光性試験容器の底面は、図１に示すように、石英ガラス板から５ｍｍ間隔でラインを引いて５ｍｍ幅の区画に分け、石英ガラス板から最も近い区画から順に第１区画〜第２４区画と名づけた。容器内で、石英ガラスに向かう移動方向を「正方向（正の走光性）」とし、石英ガラスから離れる方向を「負方向（負の走光性）」とした。第１区画〜第１２区画を「正方向の領域」として、第１３区画〜第２４区画を「負方向の領域」とした。第１２区画と第１３区画との間のラインを、幼生を投入する「幼生投入ライン」とした。「幼生投入ライン」は、石英ガラス板の表面から６ｃｍ離れた位置である。
＝＝ＬＥＤパネル＝＝
走光性試験には、ピーク波長が５６２〜５８２ｎｍのプロジェクションライト（Ｏｌｙｍｐｕｓ  ＬＧ-ＰＳ２）、ピーク波長が３７０〜３８０ｎｍのＬＥＤ発光素子を実装したＬＥＤパネル（シーシーエス株式会社製、ＬＥＤパネル型式：ＩＳＬ−１５０Ｘ１５０ＵＵ３７５ＴＰＮＬ）、ピーク波長が４０９〜４１２ｎｍのＬＥＤ発光素子を実装したＬＥＤパネル（シーシーエス株式会社製、ＬＥＤパネル型式：ＩＳＬ−１５０Ｘ１５０−ＶＶ−ＴＰＮＬ）、ピーク波長が４４０〜４６０ｎｍのＬＥＤ発光素子を実装したＬＥＤパネル（シーシーエス株式会社製、ＬＥＤパネル型式：ＩＳＬ−１５０Ｘ１５０ＢＢ４５−ＴＰＮＬ）、ピーク波長が４６０〜４８０ｎｍのＬＥＤ発光素子を実装したＬＥＤパネル（シーシーエス株式会社製、ＬＥＤパネル型式：ＩＳＬ−１５０Ｘ１５０−ＢＢ−ＴＰＮＬ）、およびピーク波長が５１５〜５３５ｎｍのＬＥＤ発光素子を実装したＬＥＤパネル（シーシーエス株式会社製、ＬＥＤパネル型式：ＩＳＬ−１５０Ｘ１５０−ＧＧ−ＴＰＮＬ）を用いた。各ＬＥＤ光の波長特性を表１に示す。
【００１８】
0005940747.tif 000002
ＬＥＤ光の照射照度は、ピーク波長が３７０〜３８０ｎｍの光を照射する場合には２０Ｗ／ｍ2に設定し、その他のピーク波長の光を照射する場合には１００Ｗ／ｍ2に設定して実験を行った。アカフジツボのキプリス幼生については、ピーク波長が４０９〜４１２ｎｍのＬＥＤ光を１２５Ｗ／ｍ2の照射照度に設定した条件でも行った。なお、この照射照度は、走光性試験容器の外部に配置したＬＥＤパネルから発光した光が石英ガラス板を透過して走光性試験容器内部に入射した光を、石英ガラス板の表面から０ｃｍの位置で測定し、調整した。照射照度の測定にはメイワフォーシス株式会社製、照射照度計Ｐｙｒａｎｏｍｅｔｅｒ  ＬＩ−２００  （４００〜１１００ｎｍ）、照射照度計ＵＶ−ＡＢ  ｓｅｎｓｏｒ  ＳＤ２０４ＡＢ−Ｃｏｓ（ＵＶ−ＡＢ）を使用した。各ＬＥＤ光の照度と光量子束密度を表２に示す。
【００１９】
0005940747.tif 000003
４０９〜４１２ｎｍの光を石英ガラス板の表面から０ｃｍの位置での放射照度を１００Ｗ／ｍ2に設定した場合の、石英ガラス板の表面から０ｃｍの位置でのピーク波長分光放射照度について分光放射計（株式会社オプトリサーチ社製、ＭＳＲ−７０００Ｎ）を用いて測定したところ、８２．１０８８μＷｃｍ-2ｎｍ-1であった。また、４０９〜４１２ｎｍの光を石英ガラス板の表面から０ｃｍの位置で１２５Ｗ／ｍ2に設定した場合の、石英ガラス板の表面から０ｃｍの位置でのピーク波長分光放射照度について分光放射計（株式会社オプトリサーチ社製、ＭＳＲ−７０００Ｎ）を用いて測定したところ９０．３６４３μＷｃｍ-2ｎｍ-1であった。【００２０】
また、石英ガラス板の表面から０ｃｍの位置での放射照度を１００Ｗ／ｍ2に設定した場合の、石英ガラス板の表面から６ｃｍの位置（幼生投入ライン）における放射照度およびピーク波長分光放射照度を算出した。まず、石英ガラス板の表面から０ｃｍの位置での放射照度を８８．５１Ｗ／ｍ2に設定した場合の海水中において、石英ガラス板の表面から０ｃｍと６ｃｍでの光量子束密度を測定器（メイワフォーシス株式会社製  光量子計  ＬＩ−１９２ＳＡ）を用いて測定し、ピーク波長分光放射照度を分光放射計（株式会社オプトリサーチ社製、ＭＳＲ−７０００Ｎ）を用いて測定した。そして、測定した光量子束密度から放射照度を式（放射照度＝０．１１２８８４×光量子束密度＋０．０５１８４２）から求めた。そして、放射照度とピーク波長分光放射照度の透過率をそれぞれ求めたところ、放射照度の透過率が６７．７８％であり、ピーク波長分光放射照度の透過率は７６．６４％であった。このことから、石英ガラス板の表面から０ｃｍの位置での放射照度を１００Ｗ／ｍ2（ピーク波長分光放射照度は、８２．１０８８μＷｃｍ-2ｎｍ-1）に設定した場合の放射照度とピーク波長分光放射照度は、幼生投入ライン（石英ガラス板の表面から６ｃｍの位置）において、放射照度は式（１００Ｗｍ-2×０．６７７８＝６７．７８Ｗｍ-2）より６７．７８Ｗ／ｍ2であり、ピーク波長分光放射照度は式（８２．１０８８μＷｃｍ-2ｎｍ-1× ０．７６６４ ＝ ６２．９２８２μＷｃｍ-2ｎｍ-1）より６２．９２８２μＷｃｍ-2ｎｍ-1であった。
＝＝キプリス幼生の選別＝＝
付着生物であるアカフジツボの付着期幼生であるキプリス幼生に照射照度１００Ｗ／ｍ2のプロジェクションライト（Ｏｌｙｍｐｕｓ  ＬＧ-ＰＳ２）光を、実験直前まで１時間以上照射し、光源に近づく行動をとる個体を以下の実験に使用した。【００２１】
また、タテジマフジツボの付着期幼生であるキプリス幼生も同様に選別して以下の実験に使用した。
＝＝幼生の観察方法＝＝
部屋の一画に暗幕を用いて、外部の光を完全に遮光した暗室（試験室）を設け、この暗室内で次の実験をした。【００２２】
目合い３μｍのメンブレンフィルター（ＡＤＶＡＮＴＥＣ）でろ過した海水（水温２３．１℃、塩分２９．５ＰＳＵ、ｐＨ８．４）（水深２ｃｍ）の入った走光性試験容器の幼生投入ラインの位置に１〜５個体の幼生を投入した後、アカフジツボのキプリス幼生に対しては５分間、タテジマフジツボのキプリス幼生に対しては１０分間ＬＥＤ光を照射した。光の照射中、容器上方から幼生を目視観察し、幼生の移動方向と幼生の位置を記録した。アカフジツボのキプリス幼生とタテジマフジツボのキプリス幼生の結果をそれぞれ図２Ａ〜Ｇと図３Ａ〜Ｆに示す。図２Ａ〜Ｇおよび図３Ａ〜Ｆ中、黒丸はＬＥＤ光の照射終了時の幼生の位置を示し、図中の丸で番号を囲んだものは、幼生が一時的に停止した位置及び幼生が停止した順番を示す。次に、この観察結果から、幼生の移動距離を求めた。アカフジツボのキプリス幼生の移動方向および移動距離を図４Ａ〜Ｇに、タテジマフジツボのキプリス幼生の移動方向および移動距離を図５Ａ〜Ｆにまとめた。【００２３】
なお、図４Ａ〜Ｇおよび図５Ａ〜Ｆの白色のバーは正方向への移動距離、黒色のバーは負方向への移動距離を示す。また、光照射終了時における正方向の領域または負方向の領域に位置していた個体数の割合を、アカフジツボのキプリス幼生については図６、タテジマフジツボのキプリス幼生については図７にまとめた。
＝＝結果＝＝
アカフジツボのキプリス幼生およびタテジマフジツボのキプリス幼生はいずれも、ピーク波長が５６２〜５８２ｎｍのプロジェクションライト光、ピーク波長が４６０〜４８０ｎｍおよび５１５〜５３５ｎｍの光に対して強い正の走光性を示した（図２Ａ〜Ｃ、図３Ａ〜Ｃ、図４Ａ〜Ｃ、図５Ａ〜Ｃ、図６、図７）。これに対し、ピーク波長が４４０〜４６０ｎｍの光を照射した場合、レーン１まで移動する個体が減少し、また、一時的に負方向へ移動する個体が出現した（図２Ｄ、図３Ｄ、図４Ｄ、図５Ｄ、図６、図７）。さらに、ピーク波長が４０９〜４１２ｎｍの光を照射した場合、レーン１まで移動する個体がさらに減少し、また、負方向へ移動する個体が増加した（図２Ｅ，Ｆ、図３Ｅ、図４Ｅ，Ｆ、図５Ｅ、図６、図７）。【００２４】
波長３７０〜３８０ｎｍの光を照射した場合も、負方向へ移動する個体が増加した（図２Ｇ、図３Ｆ、図４Ｇ、図５Ｆ、図６、図７）。しかし、４００〜４２０ｎｍは、海水中での透過性が紫外線（４００ｎｍより小さい波長）より高いことを考慮すると、フジツボ類の付着期幼生が水中で付着物に付着することを広範囲で抑制するには、紫外線のみを含む光を照射するよりも、波長４０９〜４１２ｎｍの波長域においてピークを有する紫色光を含む光を照射することが特に有効である。【００２５】
また、アカフジツボのキプリス幼生およびタテジマフジツボのキプリス幼生のいずれにも、ピーク波長が４０９〜４１２ｎｍの光の放射照度が６７．７８Ｗ／ｍ2であり、ピーク波長分光放射照度が６２．９２８２μＷｃｍ-2ｎｍ-1である幼生投入ラインの位置から負方向に移動する個体が確認された（図２Ｅ、図３Ｅ、図４Ｅ、図５Ｅ）。このように、フジツボ類の付着期幼生が水中で付着物に付着するには、付着物における放射照度を６７．７８Ｗ／ｍ2以上、ピーク波長分光放射照度を６２．９２８２μＷｃｍ-2ｎｍ-1以上とすることが有効である。
【産業上の利用可能性】
【００２６】
本発明によって、フジツボ類の付着期幼生が水中で付着物に付着することを抑制する方法を提供することが可能になった。
【要約】
本発明は、フジツボ類の付着期幼生に対し、４０９〜４１２ｎｍの波長全域を含み、４００〜４６０ｎｍの波長域のうち一部の波長を含む光を、前記付着物から前記付着期幼生の方向に向けて照射することにより、フジツボ類の付着期幼生が水中で付着物に付着することを抑制する方法を提供する。【図１】
0005940747.tif 000004
【図２Ａ】
0005940747.tif 000005
【図２Ｂ】
0005940747.tif 000006
【図２Ｃ】
0005940747.tif 000007
【図２Ｄ】
0005940747.tif 000008
【図２Ｅ】
0005940747.tif 000009
【図２Ｆ】
0005940747.tif 000010
【図２Ｇ】
0005940747.tif 000011
【図３Ａ】
0005940747.tif 000012
【図３Ｂ】
0005940747.tif 000013
【図３Ｃ】
0005940747.tif 000014
【図３Ｄ】
0005940747.tif 000015
【図３Ｅ】
0005940747.tif 000016
【図３Ｆ】
0005940747.tif 000017
【図４Ａ】
0005940747.tif 000018
【図４Ｂ】
0005940747.tif 000019
【図４Ｃ】
0005940747.tif 000020
【図４Ｄ】
0005940747.tif 000021
【図４Ｅ】
0005940747.tif 000022
【図４Ｆ】
0005940747.tif 000023
【図４Ｇ】
0005940747.tif 000024
【図５Ａ】
0005940747.tif 000025
【図５Ｂ】
0005940747.tif 000026
【図５Ｃ】
0005940747.tif 000027
【図５Ｄ】
0005940747.tif 000028
【図５Ｅ】
0005940747.tif 000029
【図５Ｆ】
0005940747.tif 000030
【図６】
0005940747.tif 000031
【図７】
0005940747.tif 000032